(57)【要約】  本発明は、移動無線通信ネットワークの移動端末装置とネットワークノード装置との間の移動側着信手続きを制御する方法と関連する端末装置を提供し、回路切り換えフォールバック（ＣＳＦＢ）手続きの一部としてのネットワークノード接続の変化に特に関し、移動側着信手続き中に端末装置からネットワークノードへフォローオン要求などの接続維持要求を送信するステップと、位置更新後手続きがネットワークから到着できるようにネットワークノード装置との接続の維持を試みるステップとを有している。【選択図】  図１
2013520849.tif 000002
【特許請求の範囲】
【請求項１】
移動無線通信ネットワークの移動端末装置とネットワークノード装置との間の移動側着信手続きの方法であって、
前記移動側着信手続き中に前記端末装置から前記ネットワークノードへ接続維持要求を送信するステップと、
前記ネットワークノード装置との接続の維持を試みるステップと、
を有する方法。
【請求項２】
前記ネットワークノード装置は、目標ネットワークノード装置を有している、請求項1に記載の方法。
【請求項３】
前記接続維持要求は位置更新手続き中に設けられている、請求項１または２に記載の方法。
【請求項４】
前記接続維持要求はフォールバックの後に第２の通信装置のネットワークノードへ送信される、請求項１、２または３に記載の方法。
【請求項５】
前記第２の通信装置は回路切り換え通信装置を有している、請求項４に記載の方法。
【請求項６】
前記通信維持要求は前記端末装置が現在の第１の通信装置にページングされた後に送信される、先行する請求項のいずれか１項または２項以上に記載の方法。
【請求項７】
前記現在の第１の通信装置はＥ−ＵＴＲＡＮ装置を有している、請求項６に記載の方法。
【請求項８】
前記接続維持要求はフォローオン要求を有している、先行する請求項のいずれか１項または２項以上に記載の方法。
【請求項９】
前記移動端末装置からの前記接続維持要求はネットワーク起源の手続きが位置更新手続き以降に前記ネットワークから到着するという判断に応答して送信される、先行する請求項のいずれか１項または２項以上に記載の方法。
【請求項１０】
移動無線通信ネットワーク内で動作するように構成されており、ネットワークノードと移動側着信通信用に構成されている移動端末装置であって、該端末装置は接続維持要求を移動側着信手続き中に前記ネットワークノード装置に送信し、前記ネットワークノード装置との接続の維持を試みるように構成されている、端末装置。
【請求項１１】
位置更新手続き中に前記接続維持要求を提供するように構成されている、請求項１０に記載の端末装置。
【請求項１２】
前記要求は、フォールバック手続き後に第２の通信装置のノード装置へ送信されるように構成されている、請求項１０または１１に記載の端末装置。
【請求項１３】
前記第２の通信装置は回路切り換え通信装置を有している、請求項１２に記載の端末装置。
【請求項１４】
前記要求は前記現在の第１の通信装置からのページング以降に送信されるように構成されている、請求項１０、１１、１２または１３に記載の端末装置。
【請求項１５】
前記現在の第１の通信装置はＥ−ＵＴＲＡＮ装置を有している、請求項１４に記載の端末装置。
【請求項１６】
フォローオン要求を前記接続維持要求として送信するように構成されている、請求項１０、１１、１２、１３、１４または１５に記載の端末装置。
【請求項１７】
ネットワーク起源の手続きが前記ネットワークから位置更新手続き以降に到着するという判断に応答して前記接続維持要求を送信するように構成されている、請求項１０から１６のいずれか１項または２項以上に記載の端末装置。
【請求項１８】
接続維持要求を移動側着信要求中に移動端末装置から受信し、前記移動端末装置との接続を維持するように前記移動端末装置によって制御されるように構成されている、ネットワークノード装置。
【請求項１９】
前記接続維持要求を請求項１０から１８のいずれか１項または２項以上に記載の端末装置から受信するように構成されている、請求項１８に記載のネットワークノード装置。
【請求項２０】
位置または追跡領域が変化する移動側着信手続き中に接続を維持するために、移動端末装置によって実行される方法であって、
位置更新手続きが要求されていると判断するステップと、
前記位置更新手続きを開始するように信号を生成するステップであって、前記信号は前記位置または追跡領域の更新を要求するメッセージと前記移動側着信手続きの接続を維持すべきであるという指示を有しているステップと、
前記生成された信号をネットワークノード装置に送信し、それによって前記ネットワークノード装置は前記指示の受信に応答して前記接続を維持できるステップと、
を有する、方法。
【請求項２１】
前記位置更新手続きを開始するように前記信号の生成の前に回路切り換えフォールバック手続きを完了するステップをさらに有する、請求項２０に記載の方法。
【請求項２２】
前記生成された信号は回路切り替え装置のノードに送信される、請求項２０または２１に記載の方法。
【請求項２３】
前記位置更新手続きを開始するように前記信号の生成の前にページングメッセージを受信するステップをさらに有する、請求項２０から２２のいずれかに記載の方法。
【請求項２４】
前記ページングメッセージは前記生成された信号が送信される前記ネットワークノードとは異なるネットワークノードから受信される、請求項２３に記載の方法。
【請求項２５】
前記ページングメッセージはＥ−ＵＴＲＡＮ装置のノードから受信される、請求項２４に記載の方法。
【請求項２６】
位置または追跡領域が変化する移動側着信手続き中に移動端末装置の接続を維持するための、ネットワークノード装置によって実行される方法であって、
前記位置更新手続きを開始するように信号を受信するステップであって、前記信号は前記位置または追跡領域の更新を要求するメッセージと前記移動側着信手続きの接続を維持すべきであるという指示を有しているステップと、
前記位置または追跡領域の更新を要求する前記受信したメッセージに応答して、前記位置更新手続の実行中に、さらなるネットワークノードに信号を送信するステップと、
前記移動側着信手続きの接続を維持すべきであるという前記指示の受信に応答して前記位置更新手続き中の前記移動端末との信号リンクを維持するステップと、
を有する方法。
【請求項２７】
前記移動側着信手続きの接続を維持すべきであるという前記指示は前記位置または追跡領域の更新を要求する前記メッセージ内の指示を有している、請求項２０から２６のいずれかに記載の方法。
【請求項２８】
前記位置または追跡領域の更新の前記要求メッセージは位置更新要求を有している、請求項２０から２７のいずれかに記載の方法。
【請求項２９】
位置更新手続きが要求されていると判断する手段と、
前記位置更新手続きを開始するように信号を生成する手段であって、前記信号は前記位置または追跡領域の更新を要求するメッセージと前記移動側着信手続きの接続を維持すべきであるという指示を有している手段と、
前記生成された信号をネットワークノード装置に送信し、それによって前記ネットワークノード装置は前記指示の受信に応答して前記接続を維持できる手段と、
を有する、移動端末装置。
【請求項３０】
前記位置更新手続きを開始するように信号を受信する手段であって、前記信号は前記位置または追跡領域の更新を要求するメッセージと前記移動側着信手続きの接続を維持すべきであるという指示を有している手段と、
前記位置または追跡領域の更新を要求する前記受信したメッセージに応答して、前記位置更新手続きを実行しているさらなるネットワークノードに信号を送信する手段と、
前記移動側着信手続きの接続を維持すべきであるという前記指示の受信に応答して前記位置更新手続き中の前記移動端末との信号リンクを維持する手段と、
を有する、ネットワークノード装置。
【請求項３１】
請求項１から９または２０から２８のいずれか１項または２項以上に記載の方法を実行するコンピュータ読み取り可能な複数の命令を有している、コンピュータプログラム製品。
【請求項３２】
保存されている請求項３０のコンピュータプログラム製品を有している、コンピュータ読み取り可能媒体。
【発明の詳細な説明】
【技術分野】
【０００１】
本発明は、移動側着信制御方法、関連する複数のネットワーク装置、単純なハンドオーバー要件であろうが、具体的な例として回路切り換えフォールバック（ＣＳＦＢ）手続きの一部であろうが、移動端末が異なる通信装置間を移動する時の移動側着信信号に関連して採用される制御シナリオに関する。
【背景技術】
【０００２】
セルラネットワークなどの移動無線通信ネットワークの性質のせいで、セル間のハンドオーバーかネットワークと関連する通信装置との間のハンドオーバーかに関わらず、その動作接続を変更するように、いわゆるユーザ装置携帯電話ハンドセットなどの移動端末装置に対して要求が発生することが多い。
【０００３】
さまざまな通信装置、特に既存のレガシー通信装置を考慮して、接続を最適化し、ハンドセット端末の性能を限定するような影響を最小化するように、異なる装置間の移動を可能にする機能には特に利点がある。
【発明の概要】
【発明が解決しようとする課題】
【０００４】
しかし、そのようなさまざまな装置の要件を考慮すると、そのような装置間の切り換えを試みる時と、その後新しい装置内で接続を確立する時の両方で、目立った遅延が発生することが多く不利である。特に、移動端末、現在登録されているネットワークノード、および目的のネットワークノードの間で発生するページング信号要求を考慮すると、接続が不適切に放棄されることと喪失することの少なくとも一方が発生しえることがわかる。シナリオによっては、移動端末の実行中の動作のせいで接続の再確立が容易ではなく、そのためサービスの中断がさらなる潜在的な問題である。
【０００５】
本発明は、移動側着信信号と関連するネットワーク装置に関し、公知の方法や装置に対して有利な制御方法の提供を目的とする。
【０００６】
さらなる説明として、現在の３ＧＰＰ  Ｒｅｌ−８とＲｅｌ−９仕様によれば、ユーザ装置（ＵＥ）がレガシー２Ｇ／３Ｇ装置へ、例えば、一般に回路切り換えフォールバック（ＣＳＦＢ）目的の進化したパケットシステム（ＥＰＳ）から移動するときに、ＵＥは、ＵＥが現在登録されている位置領域（ＬＡ）およびネットワークノードとは異なるＬＡおよび関連するネットワークノードに移動することを要求されることがある。
【０００７】
前述の３ＧＰＰ仕様から知られるＣＳＦＢの機能を特に参照すると、ＵＥは、例えばＥ−ＵＴＲＡＮ内の組み合わされた登録手続きを通してＣＳドメインに登録することができる。これによって、ＵＥはＣＳサービスにアクセスできるので有利であり、このシナリオにおいて、ＵＥのページングは移動通信交換局／ビジター位置登録（ＭＳＣ／ＶＬＲ）と移動管理エンティティ（ＭＭＥ）との間のＳＣインターフェイス上のＭＳＣ／ＶＬＲからのページングを通して達成される。ＵＥがページングされた後、ＵＥはＭＭＥを介してＣＳＦＢ手続きを要求することになり、ＭＭＥはそれからＵＥを、例えばレガシーＧＥＲＡＮまたはＵＴＲＡＮ装置へ移動させることによって、ＣＳＦＢ手続きをトリガするように作動することになる。
【０００８】
しかし、例えば第１のセル内でＵＥが接続されている場合、ＳＧを通して第１の位置領域アイデンティティ（ＬＡＩ）によって第１のＭＳＣに登録されており、第１のＬＡＩは、ＭＭＥの追跡領域アイデンティティ（ＴＡＩ）／ＬＡＩマッピングテーブルを元に決定されている。その後、要求されたＣＳＦＢ手続き時に、ｅＮＢなどのネットワークノードは、ＵＥを異なる、例えば第２のＬＡＩに関連付けられており、それぞれの第２のＭＳＣにも所属している目的のセルに接続するのがより適切であると判断するかもしれない。そのようなシナリオは３ＧＰＰドキュメントＳ２−１０１４４１で説明されている。
【０００９】
そのドキュメントで説明されているように、まずネットワークが２Ｇと３Ｇ装置用の様々なＭＳＣを使用している時にこのような態様での異なるセルへのＵＥのハンドオーバーが発生する可能性があって、ＭＭＥがＴＡＩを１つのＬＡＩにだけマッピングするので、ＭＭＥは２Ｇ−ＭＳＣと３Ｇ−ＭＳＣのいずれのＬＡＩを割り当てるのか判断しなければならない。ＭＭＥがＴＡＩを２Ｇ装置のＬＡＩにマッピングすると仮定すると、３Ｇ装置内でカバレッジがより大きいと考えられる場合、ＵＥは３Ｇ  ＬＡに入ることができる。もちろんその代わりに、ＴＡＩが３Ｇ装置のＬＡＩにマッピングされている場合、ＵＥが考えられる改善されカバレッジのために２Ｇ  ＬＡに入ることができる。
【００１０】
第２に、追跡領域（ＴＡ）とＬＡとが独立していることを考慮すると、ＴＡ／ＬＡ境界の間に不一致が発生することが非常に一般的で、ネットワークオペレータは一致させるのが困難なことがわかっているからである。
【００１１】
ＵＥを現在の登録のＭＳＣに属しているＬＡに移動させることが必要な前述のような何らかのシナリオでは、いわゆる「ローミング再試行」手続きをＵＥがその位置更新（ＬＵ）手続きを実行するときに採用することができることが、３ＧＰＰ技術仕様ＴＳ  ２３．２７１からさらに知られている。
【００１２】
この手続き内で、移動側着信（ＭＴ）通信信号が発生し、ＵＥはＬＵの実行後、ＭＳＣから呼設定を受信するのを待つことになる。しかし、ＭＳＣはＵＥがＭＴ手続きに関わっていることに気付かず、そのため、そのＵＥとの接続を解放する可能性があり、任意のそのような実行中の移動側着信（ＭＴ）通信信号がＬＵ手続きの完了の後に失敗し、ＭＴ呼の失敗の原因になる比較的高い危険性がある。
【００１３】
ＭＳＣが再びＵＥのページングを試みるのでそれから不利な遅延が発生することになり、さらに、その間にＵＥが、例えばＬＴＥセルを再び選択していると、ページングが失敗する可能性がある。
【００１４】
本発明に関連している一般的な背景は、３ＧＰＰディスカッションドキュメントＳ２−１０１４４１でさらに説明されている。
【００１５】
本発明は、公知の手続きや装置に対して有利な移動側着信制御手続きと移動端末装置やネットワークノード装置などの関連するネットワーク装置の提供を特に目指している。
【課題を解決するための手段】
【００１６】
本発明の第１の実施態様によれば、移動無線通信ネットワークの移動端末装置とネットワークノード装置との間の移動側着信手続きの方法であって、移動側着信手続き中に端末装置からネットワークノードへ接続維持要求を送信するステップと、ネットワークノード装置との接続の維持を試みるステップとを有する方法が提供される。
【００１７】
そのため、接続維持要求を移動側着信手続き中に端末装置から送信することによって、ネットワーク装置に移動端末装置との接続を維持することが必要なことに気付かせ、ＬＵ手続きの完了以降にその移動端末装置との接続を解放しないことがわかり、移動側着信手続きの失敗の危険性を減少させることが有利である。
【００１８】
本発明は、ネットワークノード装置が目標ネットワークノード装置を有している時に特に有利であることが証明できる。
【００１９】
接続維持要求は位置更新手続き中に設けられていることが有利である。
【００２０】
一構成では、接続維持要求はフォールバックの後第２の通信装置のネットワークノードへ送信される。
【００２１】
第２の通信装置は回路切り換え通信装置を有していることが好ましい。
【００２２】
さらに、通信維持要求は端末装置が現在の第１の通信装置にページングされた後に送信される。現在の第１の通信装置はＥ−ＵＴＲＡＮ装置を有していることが好ましい。
【００２３】
接続維持要求はフォローオン要求を有していてもよい。
【００２４】
特に、端末装置からの接続維持要求はネットワーク起源の手続きが位置更新手続き以降にネットワークから到着するという判断に応答して送信される。
【００２５】
本発明のさらなる態様によれば、移動無線通信ネットワーク内で動作するように構成されており、ネットワークノードと移動側着信通信用に構成されている移動端末装置であって、端末装置は接続維持要求を移動側着信手続き中にネットワークノード装置に送信し、ネットワークノード装置との接続の維持を試みるように構成されている端末装置提供される。
【００２６】
端末装置は、位置更新手続き中に接続維持要求を提供するように構成することができて有利である。さらに、要求は、フォールバック手続き後に第２の通信装置のノード装置へ送信されるように構成されており、第２の通信装置は回路切り換え通信装置を有することができる。
【００２７】
前述のように、本発明の方法に関して、要求は現在の第１の通信装置からのページング以降に送信可能で、現在の第１の通信装置はＥ−ＵＴＲＡＮ装置を有することができるのが有利である。
【００２８】
フォローオン要求を接続維持要求として送信するように構成されていることが有利である。
【００２９】
また、そのため、ネットワーク起源の手続きがネットワークから位置更新手続き以降に到着するという判断に応答して接続維持要求を送信するように構成されていることが有利である。
【００３０】
本発明のさらなる態様によれば、接続維持要求を移動側着信要求中に移動端末装置から受信し、実装依存時間について、移動端末装置との接続を維持するように移動端末装置によって制御されるように構成されているネットワークノード装置が提供される。
【００３１】
もちろん、接続維持要求を前述のように定められている端末装置から受信するように構成できることが理解される。
【００３２】
本発明は、コンピュータプログラム製品と、そのような製品を保存しているコンピュータ読み取り可能媒体を有することが可能で、コンピュータプログラム製品は以前に定められている方法を実行する複数のコンピュータ読み取り可能命令を有していることも理解されるべきである。
【００３３】
概要を前述したような本発明のさまざまな態様によって、例えば、初期アドレスメッセージ（ＩＡＭ）がネットワークノードにいったん到着すれば、移動側着信通信を、例えばＭＳＣとＵＥとの間の既存の接続上に設定することができるようにネットワークが接続を維持するために移動側着信手続き中に移動端末装置から指示を容易に受信することが可能になると理解されるべきである。それから、繰り返しページングの必要性も関連する呼の失敗もないので有利である。
【００３４】
本発明は、例えば、３ＧＰＰ  ＴＳ  ２４．００８から明らかなように位置更新メッセージで現在示されている「フォローオンリクエスト」を再使用するように構成することができるので有利である。
【００３５】
また、前述の技術仕様は、ＭＳからのネットワークによる「フォローオン要求」の受信時にネットワークが「フォローオン進行」で応答可能で、必要に応じて本発明で採用可能なレガシーな振る舞い定義している。
【００３６】
本発明を添付の図面を参照して例としてのみ以下で説明する。
【図面の簡単な説明】
【００３７】
【図１】現在の技術で発生する可能性があって、本発明によって対応可能な潜在的な問題の例を示している信号ダイアグラムである。
【図２】本発明の実施形態の制御方法の複数の態様を示している流れ図である。
【図３】本発明の実施形態の移動端末装置の模式的なブロック図である。
【発明を実施するための形態】
【００３８】
まず図１を参照すると、例えば現在の（すぐに「以前の」になる）ＭＳＣなどのネットワークノードから新しいＭＳＣへの移動局（ＭＳ）などの移動端末装置の移動に伴うＣＳＦＢ手続きに関連して発生し、前述のそして３ＧＰＰ  ＴＳ  ２３．２７２に指定されているようなローミング再試行手続きにつながる典型的な信号パターンを示している。図１は、以降に説明する本発明に関連する、本発明が対応する潜在的な欠点の問題を特に示している。
【００３９】
理解されるように、図１はＣＳＦＢ手続きによって発生する信号と、関門移動通信交換局（ＧＭＳＣ）１０、ホーム位置レジスタ（ＨＬＲ）１２、「以前の」移動通信交換局（ＭＳＣ１）１４、「新しい」移動通信交換局（ＭＳＣ２）１６、およびシステムアーキテクチャエボリューション／ロングタームエボリューション（ＳＡＥ／ＬＴＥ）接続による移動局２０の形態のネットワーク端末装置を示している。
【００４０】
図のように、ＧＭＳＣ  １０、ＨＬＲ  １２、およびＭＳＣ１  １４の間で送信経路設定情報（ＳＲＩ）とローミング番号提供（ＰＲＮ）信号とが交換され、それが、移動局ローミング番号ＭＳＲＮを有している初期アドレスメッセージによって開始されるＭＳ  ２０へのページング信号に最終的につながる。ページング信号は、ＣＳＦＢを開始するようにＭＳ  ２０製品に配信され、その手続きがＭＳ  ２０からのＬＵ要求につながる。それから新しいＭＳＣ２  １６、ＨＬＲ  １２および以前のＭＳＣ１  １４とＧＭＳＣ  １０とを伴う認証手続きが開始されるが、理解されるように２２で移動側着信呼び出しの確立がＬＵ手続きの完了を待っているＨＬＲ  １２によって遅延される。
【００４１】
位置更新肯定応答／位置更新受付信号が新しいＭＳＣ２  １６とＭＳ  ２０にそれぞれ配信できるまでサブスクライバデータ挿入信号が、ＨＬＲ  １２と新しいＭＳＣ２  １６との間で継続する。しかし、２４の位置で示されているように、この段階で、新しいＭＳＣ２  １６は継続中の移動側着信呼が存在することがわからず、そのためＭＳＣ２  １６は２４の位置で示されているように、更新位置肯定応答の受信後に直ちにＬＵ受付信号をＭＳ  ２０に送信する。
【００４２】
２６の位置でさらに示しているように、ＭＳＣ２  １６からＭＳ  ２０へのＬＵ受付信号以降に、ＭＳＣ２  １６は、着信の存在に気付かず、信号伝送と接続性と、ゆえに運用性に不利な影響がある接続をＭＳＣ２  １６が解除する高い可能性がある。
【００４３】
つまり、ＭＳＣ２  １６が接続を解除すると、ＭＳＣにＩＡＭメッセージが到着したときに、さらなるページング信号をＭＳ  ２０に送信しなければならないことになる。その結果、遅延と非効率が発生する。特に、ＣＳＦＢによって、ＭＳ  ２０はまずＥ−ＵＴＲＡＮにおいて複数のＳＧを通してページングされ、それからＭＳ  ２０をネットワークによって必要に応じてＧＥＲＡＮまたはＵＴＲＡＮ装置に移動させる。ＭＳ  ２０はＭＴ呼が処理できるように新しい位置領域にあればＬＵ手続きを実施する。そのため、理解されるように、ともかくもそのようなシーケンスは何らかの遅延を生じ、そのため、再ページングの必要性から発生するようなさらなる遅延を避けなければならない。
【００４４】
そのような繰り返されるページング要求は、追加の遅延をＣＳＦＢ手続きにもたらすことにおいてそれ自体が不利であるが、これらの制限がさらに悪化する可能性があり、それはＥ−ＵＴＲＡＮ機能を有しているＭＳ  ２０によって、ＭＳ  ２０は繰り返されるページングがともかくも失敗することになるようにＬＴＥセルを選択していることになるからである。
【００４５】
ここで図２を参照すると、本発明の実施形態によるＭＴ手続き中の制御動作を示している流れ図を示している。
【００４６】
したがって、移動側着信手続き２８の一部として、図１のＭＳ  ２０の図１のＭＳＣ２  １６への移動をＣＳＦＢ  ３０が要求していると、ＭＳ  ２０はそのＬＵ要求３２内にＭＳＣ２  １６との接続を維持し、図１に示しているようなそうでなければ行われる解放を行うべきではないこと示す役割のある「フォローオン要求」を含める。ステップ３４の位置で、更新位置手続きは継続するが、このシナリオでは、新しいＭＳＣ２  １６は実行中のＭＴ呼が存在することに気付いており、３８で以降のＭＴ呼が４０で既存の接続上のＩＡＭメッセージの後で設定され、接続を維持する。
【００４７】
そのため、遅延と現在の技術では起こり得る呼の失敗を避けることができて有利である。
【００４８】
図３に関連して、例えば、トランシーバ回路４６と動作的に接続されているアンテナ／インターフェイス４４を備えたユーザ装置ハンドセット装置４２であって、トランシーバ回路４６は標準的な態様ではハンドセット４２内のプロセッサ４８とメモリ５０の機能にさらに接続されている移動局のブロック図を示している。
【００４９】
本発明によれば、ハンドセット４２内の処理機能４８は、新しいＭＳＣ、つまり図１のＭＳＣ２  １６に対して接続を維持すべきであって接続が以降の呼の設定に使用されるという必要な指示を提供するようにハンドセット４０からＬＵ要求過程中に送信される「フォローオンリクエスト」［ＦＯＲ］などの「接続を維持する」要素を有するように構成されている。
【００５０】
理解されるように、そのような機能は、適切な特定の回路と適切な保存媒体から取得されるような適切なコンピュータプログラム要素の使用の少なくとも一方によってハンドセット４２内で実現可能である。
【００５１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５２】
本出願は、２０１０年２月２２日に出願された英国特許出願の第１００２８９２．６の内容が全て取り込まれており、この英国特許出願を基礎として優先権を主張するものである。
【図１】
2013520849.tif 000003
【図２】
2013520849.tif 000004
【図３】
2013520849.tif 000005
【国際調査報告】
2013520849.tif 000006
2013520849.tif 000007